(57)【特許請求の範囲】
【請求項１】
２組の対向側板２，３，４，５と、この各側板２，３，４，５の下端に連設された底板形成用フラップ６，７，８，９と、各側板２，３，４，５の上端に連設された上蓋形成用フラップ10，11，12，13とから構成され、前記２組の対向側板２，３，４，５の内、一方の対向側板２，３の下端に連設された底板形成用フラップ６，７の下側に他方の対向側板４，５の下端に連設された底板形成用フラップ８，９を重ね合わせて下端を閉じるようにした段ボール製の包装箱であって、前記他方の対向側板４，５の下端に連設された底板形成用フラップ８，９の下面にそれぞれ、２分割されフォークリフトの爪挿入用の空間21を備えてなるパレット形成部材16，17を固着し、底板形成用フラップ８，９をパレット形成部材16，17と一体に閉じてパレット形成部材16，17の突き合わせ部を粘着テープ22により接合するように構成したことを特徴とする包装箱。
【請求項２】
一方の対向側板２，３、この対向側板２，３の下端に連設された底板形成用フラップ６，７、この対向側板２，３の上端に連設された上蓋形成用フラップ10，11がそれぞれ内側に２つ折り可能に構成したことを特徴とする請求項１記載の包装箱。
【発明の詳細な説明】
【０００１】
【発明の属する技術分野】
本発明は、底部にパレットが一体的に設けられた段ボール製の包装箱に関するものである。
【０００２】
【従来の技術】
従来、段ボール製の包装箱に商品などの被包装物を収納し、トラックなどに対し上げ下ろしするのにパレットが使用されている。
【０００３】
【発明が解決しようとする課題】
しかしながら、従来では商品などの被包装物を収納した包装箱を載せるためのパレットを別に用意しておき、パレットを１枚づつ取り出してそのパレットの上に包装箱を載せているのが現状であり、パレットの保管場所が必要であるという問題があった。また、パレットが必要なときに、その場所にパレットがないこともあり、その場合はパレットを別の場所から手配しなければならないという問題があった。
【０００４】
本発明はこのような課題を解決するもので、パレットのみの保管場所が不要であり、またパレットを別の場所から手配する必要もなく、非常に便利なパレット一体型の包装箱を提供することを目的とするものである。
【０００５】
【課題を解決するための手段】
この課題を解決するために本発明は、２組の対向側板２，３，４，５と、この各側板２，３，４，５の下端に連設された底板形成用フラップ６，７，８，９と、各側板２，３，４，５の上端に連設された上蓋形成用フラップ10，11，12，13とから構成され、前記２組の対向側板２，３，４，５の内、一方の対向側板２，３の下端に連設された底板形成用フラップ６，７の下側に他方の対向側板４，５の下端に連設された底板形成用フラップ８，９を重ね合わせて下端を閉じるようにした段ボール製の包装箱であって、前記他方の対向側板４，５の下端に連設された底板形成用フラップ８，９の下面にそれぞれ、２分割されフォークリフトの爪挿入用の空間21を備えてなるパレット形成部材16，17を固着し、底板形成用フラップ８，９をパレット形成部材16，17と一体に閉じてパレット形成部材16，17の突き合わせ部を粘着テープ22により接合するように構成したものである。また本発明は、一方の対向側板２，３、この対向側板２，３の下端に連設された底板形成用フラップ６，７、この対向側板２，３の上端に連設された上蓋形成用フラップ10，11がそれぞれ内側に２つ折り可能に構成したものである。
【０００６】
この構成により、包装箱と一体的にパレット形成部材が設けられているので、従来のようにパレットのみを保管する場所が必要でなくなり、またパレットを別の場所から手配する必要もなく、箱を組み立てるときと同じ要領でパレット付きの包装箱ができ上がる。
【０００７】
【発明の実施の形態】
以下、本発明の一実施の形態について、図面に基づいて説明する。
図１〜図４において、１は段ボール製の包装箱で、２組の対向側板２，３，４，５と、この各側板２，３，４，５の下端に連設された底板形成用フラップ６，７，８，９と、各側板２，３，４，５の上端に連設された上蓋形成用フラップ10，11，12，13とから構成されており、２組の対向側板２，３，４，５の内、短辺側に位置する対向側板２，３の下端に連設された底板形成用フラップ６，７の下側に長辺側に位置する対向側板４，５の下端に連設された底板形成用フラップ８，９を重ね合わせて下端を閉じ、また２組の対向側板２，３，４，５の内、短辺側に位置する対向側板２，３の上端に連設された上蓋形成用フラップ10，11の上側に長辺側に位置する対向側板４，５の上端に連設された上蓋形成用フラップ12，13を重ね合わせて上端を閉じることにより包装箱が形成される。
【０００８】
上記構成の包装箱は保管状態において、短辺側に位置する対向側板２，３と、この対向側板２，３の下端および上端に連設された底板形成用フラップ６，７および上蓋形成用フラップ10，11がそれぞれ内側に２つ折りにされる。14および15は折曲線である。
【０００９】
図２に前記対向側板２，３、底板形成用フラップ６，７、上蓋形成用フラップ10，11がそれぞれ内側に２つ折りにされた扁平状態の包装箱を示し、この状態において長辺側に位置する対向側板４，５の下端に連設された底板形成用フラップ８，９の外面にそれぞれ、２分割されたパレット形成部材16，17が向き合った状態で接着剤により固着される。パレット形成部材16，17の平面および底面はそれぞれ底板形成用フラップ８，９の表面（下面）と同じ大きさとなっている。さらに詳しくは、パレット形成部材16および17はそれぞれ段ボール製の上板18と段ボール製の下板19と、これら上板18と下板19との間に空間を形成するために上板18と下板19との間に介在された脚体20とから構成されている。脚体20は段ボールを多重巻にして作られており、上板18と下板19との間にフォークリフトの爪挿入用の空間21を形成するために適当間隔をおいて多数設けられている。
【００１０】
図３に底板形成用フラップ８，９の下面にパレット形成部材16，17が固着された包装箱の組み立て途中の状態を示し、底板形成用フラップ８，９をパレット形成部材16，17と一体に閉じてパレット形成部材16，17の突き合わせ部を粘着テープ22により接合している。粘着テープ22の両端はパレット形成部材16，17の下面から上向きに折り曲げられ、前記短辺側に位置する対向側板２，３の下端に接着されている。
【００１１】
図４に包装箱の組み立て完成状態を示し、前記上蓋形成用フラップ12，13が粘着テープ23により接合され封緘されている。
この図４に示す状態において、フォークリフトの爪は包装箱の長辺側あるいは短辺側の何れかからパレット形成部材16，17のフォークリフトの爪挿入用の空間21に挿入され、包装箱をトラックなどに対し上げ下ろしすることができる。
【００１２】
ところで、以上述べた実施の形態では脚体20は段ボールを多重巻にして作られたものを用いているが、発泡スチロールからなるものを用いて良い。
また、以上述べた実施の形態ではパレット形成部材16，17はそれぞれ上板18と下板19との間に脚体20を介在させて形成されているが、底板形成用フラップ８，９の下面に対向する上板18を省略し、脚体20を直接底板形成用フラップ８，９の下面に接着固定するようにしても良い。
【００１３】
【発明の効果】
以上のように本発明によれば、包装箱と一体的にパレット形成部材が設けられているので、従来のようにパレットのみを保管する場所が必要でなくなり、またパレットを別の場所から手配する必要もなく、箱を組み立てるときと同じ要領でパレット付きの包装箱ができ上がる。
【図面の簡単な説明】
【図１】本発明の一実施の形態における包装箱の展開図である。
【図２】同扁平状態の包装箱およびパレット形成部材の斜視図である。
【図３】同包装箱の組み立て途中の状態を示す斜視図である。
【図４】同包装箱の組み立て完成状態を示す斜視図である。
【符号の説明】
１                      包装箱
２，３，４，５          側板
６，７，８，９          底板形成用フラップ
１０，１１，１２，１３    上蓋形成用フラップ
１４，１５                折曲線
１６，１７                パレット形成部材
１８                      上板
１９                      下板
２０                      脚体
２１                      空間
２２，２３                粘着テープ
【図１】
0003636513.tif 000002
【図２】
0003636513.tif 000003
【図３】
0003636513.tif 000004
【図４】
0003636513.tif 000005